(57)【要約】【課題】バルブを減圧による封止部を有するハロゲンランプを簡単に耐熱性のベース部材に取り付けるための形状を実現する。【解決手段】石英バルブ１２内に挿入したタングステンコイル１３の両端に一端をそれぞれ溶接した一対のモリブデン箔１６１，１６２の他端に電力供給用の導入線１７１，１７２をそれぞれ溶接し、モリブデン箔１６１，１６２の上部のバルブ１２を減圧封止により封止部１５１，１５２でハロゲンランプ１１を構成する。封止部１５１，１５２の外周には、雄ネジ１８１，１８２を一体的形成した。【選択図】図１
2007200806.tif 000002
【特許請求の範囲】
【請求項１】
バルブ内に挿入したタングステンコイルと、該コイル両端に一端をそれぞれ溶接した一対のモリブデン箔と、該モリブデン箔の他端に電力供給用の導入線をそれぞれ溶接し、前記モリブデン箔の上部の前記バルブを減圧封止により封止した封止部と、を具備するハロゲンランプにおいて、
前記封止部の外周に一体的に係合手段を形成したことを特徴とするハロゲンランプ。
【請求項２】
前記係合手段は、ネジまたは凸部が形成されたものであることを特徴とするハロゲンランプ。
【請求項３】
石英バルブ内に挿入したタングステンコイルと、該コイル両端に一端をそれぞれ溶接した一対のモリブデン箔と、該モリブデン箔の他端に電力供給用の導入線をそれぞれ溶接し、前記モリブデン箔の上部の前記バルブを減圧封止により封止した封止部と、
前記封止部の外周に一体的に形成した係合手段と、
前記係合手段に係合させ、前記封止部に支持をさせる耐熱性で絶縁性の材料で形成されるベース部材と、を具備したことを特徴とするランプ装置。
【請求項４】
前記係合手段は、ネジまたは凸部により構成し、
前記ベース部材は、前記封止部を収容する嵌合凹部と、該嵌合凹部内周に形成し前記係合手段に嵌合する嵌合部とから構成したことを特徴とする請求項３記載のランプ装置。
【発明の詳細な説明】
【技術分野】
【０００１】
この発明は、例えば複写機等の定着用のヒータとして用いられるハロゲンランプおよびこのランプを用いたランプ装置に関する。
【背景技術】
【０００２】
従来、複写機の定着用器に使用されるハロゲンランプには、ピンチシール方式で製造された封止部に代え、減圧封止により封止部を用いたハロゲンランプも考えられている。（例えば、特許文献１）
特許文献１のピンチシールによる封止は、構造上肉厚が薄くなり強度が弱くなるため、封止部にセラミックス製のベースを取り付け、セラミックベース部を金属製のクランパーにて支持する取付方法が用いられている。
【０００３】
また、最近ではピンチシールの封止方法に代え、減圧封止により封止を行ういわゆるシュリンクシールを用いたハロゲンランプも考えられている。（例えば、特許文献２）
【特許文献１】特開２００１−２１０４５４公報
【特許文献２】特開平９−３２０５４７号公報
【発明の開示】
【発明が解決しようとする課題】
【０００４】
上記した特許文献１の技術は、封止部形状がバルブ外径より大きい、バルブに対し垂直が出ない、封止部の曲がり、左右の封止部の曲がり、排気管接続部分のバルブが変形し曲がる等の問題が発生しているために、ベース部材の交差を大きくしなければ被せることができず、セラミックセメント等で固定した時に曲がりや、セメントのはみ出しがあり、セメント粉末の脱落が見られた。また、特許文献２の技術は、ベース部材について説明がないことから使用されるベース部材としては、特許文献１と同様にセラミックセメント等での固定が考えられ、セメントのはみ出しがありセメント粉末の脱落する、という問題が考えられる。
【０００５】
この発明の目的は、バルブを減圧による封止部を簡単に耐熱性のベース部材に取り付けるための形状を実現したハロゲンランプ、このハロゲンランプを用いたランプ装置を低級することにある。
【課題を解決するための手段】
【０００６】
上記した課題を解決するために、この発明のハロゲンランプは、バルブ内に挿入したタングステンコイルと、該コイル両端に一端をそれぞれ溶接した一対のモリブデン箔と、該モリブデン箔の他端に電力供給用の導入線をそれぞれ溶接し、前記モリブデン箔の上部の前記バルブを減圧封止により封止した封止部と、を具備するハロゲンランプにおいて、前記封止部の外周に一体的に係合手段を形成したことを特徴とする。
【０００７】
また、この発明のランプ装置は、石英バルブ内に挿入したタングステンコイルと、該コイル両端に一端をそれぞれ溶接した一対のモリブデン箔と、該モリブデン箔の他端に電力供給用の導入線をそれぞれ溶接し、前記モリブデン箔の上部の前記バルブを減圧封止により封止した封止部と、前記封止部の外周に一体的に形成した係合手段と、前記係合手段に係合させ、前記封止部に支持をさせる耐熱性で絶縁性の材料で形成されるベース部材と、を具備したことを特徴とする。
【発明の効果】
【０００８】
この発明によれば、バルブを減圧による封止部を有するハロゲンランプを簡単に耐熱性のベース部材に取り付けるための取り付け部を実現することができる。また、シュリンクシールにより封止されたガラス部分に、ベース部材を挿入し、ベース部材を回す簡単な操作により、封止された部分にベース部材を固定させることができる。
【発明を実施するための最良の形態】
【０００９】
以下、この発明を実施するための最良の形態について、図面を参照しながら詳細に説明する。  
図１、図２は、この発明のハロゲンランプの一実施形態について説明するための、図１は構成図、図２は図１要部を拡大して説明するための構成図である。  
図１、図２において、１１は管型白熱電球の一種であるハロゲンランプである。ハロゲンランプ１１は、例えば定着用等のヒータとして多用され、放射透過性を有する石英ガラス製等のバルブ１２を有する。バルブ１２には、その内部に耐火性金属の電気抵抗線の一例であるタングステンフィラメント１３が熱源として同心状に収容される。このフィラメント１３は、バルブ１２内で軸方向に複数配設されたアンカー１４により、バルブ１２に対する同心状態が保持される。また、バルブ１２内には、微量のハロゲン物質たとえば臭素Ｂｒと塩素Ｃｌとの混合物とともに、アルゴンＡｒや窒素Ｎ２等の不活性ガスが、常温２５℃で約０．９×１０５Ｐａ（パスカル）の圧力封入してある。バルブ１２の軸方向の両端は、減圧封止による封止部１５１，１５２が形成される。封止部１５１，１５２内にはバルブ１２と膨張係数が近似した導電性の例えばモリブデン（Ｍｏ）で形成された矩形箔状の金属箔１６１，１６２をそれぞれ埋設している。
【００１０】
ここで、減圧による封止はシュリンクシールと呼ばれる封止方法で、封止部以外で一旦ランプを封止し、封止部を含むランプ内部を減圧にした状態で、モリブデン箔を気密封止させるものである。この封止方法は、石英ガラスの肉厚がピンチシールによる封止方法のように偏ることがないことから封止部の強度を向上させることができる。
【００１１】
金属箔１６１の一端にはフィラメント１３の一端１３１が、金属箔１６２の一端にはフィラメント１３の他端１３２がそれぞれ接続される。金属箔１６１の他端は電力を供給するための導入線１７１に、金属箔１６２の他端は電力を供給するための導入線１７２にそれぞれ接続する。
【００１２】
封止部１５１，１５２の外周には、一体的に係合手段である雄ネジ１８１，１８２がそれぞれ形成される。雄ネジ１８１，１８２は、封止部１５１，１５２を形成する場合にこの部分が柔らかい状態になったときに例えば金型を用いて形成する。雄ネジ１８１，１８２は、雌ネジであってもよい。
【００１３】
図３、図４は、図１、図２のハロゲンランプ１１を用いたこの発明のランプ装置の第１の実施形態について説明するもので、図３は要部の拡大斜視図、図４は図３の要部の斜視図である。ハロゲンランプ１１と同一の構成部分には同一の符号を付して説明する。
【００１４】
この実施形態は、ハロゲンランプ１１の雄ネジ１８１，１８２にベース部材３１，３２に螺合により取り付けしたものである。
【００１５】
すなわち、図３に示すように、３１，３２はステアタイト等のセラミックスからなる例えば有底の円筒形状の耐熱性で絶縁性のベース部材である。ベース部材３１，３２は、ハロゲンランプ１１の封止部１５１，１５２を保持するとともに、導入線１７１，１７２と図示しない外部リードを溶接等により電気的に接続した部分の絶縁や保護を行うものである。
【００１６】
ここで、ベース部材３１，３２について図４を参照してより詳しく説明するが、ベース部材３１，３２は同様の構成をしており、図４ではベース部材３１を拡大した断面を示し、ベース部材３２の構成の説明については省略する。
【００１７】
すなわち、ベース部材３１は、封止部１５１を遊嵌させる嵌合凹部３３が形成される。嵌合凹部３３の底部３４には、導入線１７１の外径より径大で遊びをもって通される挿通孔３５が設けられている。底部３４近傍の嵌合凹部３３の内周面には、係合手段である雄ネジ１８１，１８２に嵌合される嵌合部となる雌ネジ３６が形成される。なお、ベース部材３２も同様の構成になっている。
【００１８】
この実施形態によれば、バルブを減圧による封止部を有するハロゲンランプを簡単に耐熱性のベース部材に取り付けるための取り付け部を実現することができる。
【００１９】
次に、ベース部材３１の取り付けについて図４を用いて説明する。先ず、導入線１７１を嵌合凹部３３から挿通孔３５を通過させ、雄ネジ１８１が雌ネジ３６に当たる位置にくるとベース部材３１を例えば時計回り回転させることで雄ネジ１８１と雌ネジ３６を螺合させる。これにより、ベース部材３１を封止部１５１に取り付けることができる。
【００２０】
なお、雄ネジ１８１と雌ネジ３６の関係は逆であっても何ら差し支えない。
【００２１】
この実施形態では、シュリンクシールにより封止されたガラス部分に、ベース部材を挿入し、ベース部材を回す簡単な操作により、封止された部分にベース部材を固定させることができる。
【００２２】
図５〜図７は、この発明のランプ装置の第２の実施形態について説明するためのもので、図５は要部の拡大斜視図、図６は図５の要部の斜視図、図７は図６を図５に取り付けた状態の断面図である。この実施形態でもハロゲンランプ１１の一方の封止部１５１のみを示し、この封止部１５１に取り付けられるベース部材３１について説明する。
【００２３】
シュリンクシールにより封止された封止部１５１は、外周に図５に示すような複数個の凸部５１を形成する。ベース部材３１は、図６に示すように嵌合凹部３３の軸方向に複数の凹部６１と途中から凹部６１のそれぞれに連なり反時計方向に係合部６２を一体形成する。凹部６１は凸部５１が自在に移動可能な程度の大きさに、係合部６２は封止部１５１の凸部５１に係合したあとは外れないような関係の大きさにしてある。
【００２４】
次に、ベース部材３１の取り付けについて図７を用いて説明する。先ず、嵌合凹部３３の凹部６１に封止部１５１の凸部５１を移動させて、導入線１７１を嵌合凹部３３から挿通孔３５を通過させる。次に、ベース部材３１を図中矢印Ａ方向に回転させて、凸部５１を図中矢印Ｂ方向に移動させて係合部６２に係合させる。これにより、ベース部材３１を封止部１５１に取り付けることができる。
【００２５】
なお、係合部６１の少なくとも底部３４側は奥に行くに従い漸次狭くなるようにしてもよいし、係合部６１に対し凸部５１の幅を漸次狭くなるようにしてもよい。これにより、凸部５１と係合部６１の係合がより確実なものとなる。
【００２６】
この実施形態の場合も、ベース部材３１を封止部１５１に挿入し、ベース部材３１を回す操作により、封止された部分にベース部材３１を固定させることができる。
【００２７】
図８〜図１０は、この発明のランプ装置の第３の実施形態について説明するためのもので、図８は要部の拡大斜視図、図９は図８の要部の斜視図、図１０は図９を図８に取り付けた状態の断面図である。この実施形態でもハロゲンランプ１１の一方の封止部１５１のみを示し、この封止部１５１に取り付けられるベース部材３１について説明する。
【００２８】
図８に示すように、シュリンクシールにより封止された封止部１５１の軸方向に沿った外周面に複数個の凸部８１を形成する。図９に示すように、ベース部材３１の嵌合凹部３３の軸方向に沿って複数の凹部９１を一体形成する。凹部９１は、凸部８１の幅がベース部材３１の底部３４に至る方向に漸次その幅が狭くなるように形成され、凸部５１が底部３４に当たる位置付近で凸部８１と凹部９１が同様の幅になる関係に設計してある。
【００２９】
ここで、ベース部材３１の取り付けについて図１０を用いて説明する。先ず、嵌合凹部３３の凹部９１に封止部１５１の凸部８１を移動させて、導入線１７１を嵌合凹部３３から挿通孔３５を通過させる。このとき封止部１５１が底部３４に近づくに従い、凹部９１と凸部８１の隙間が狭まり底部３４付近に達すると凸部８１と凹部９１は係合されることになる。これにより、ベース部材３１を封止部１５１に取り付けることができる。
【００３０】
ところで、凸部５１はその幅がベース部材３１の底部３４に至る方向に漸次その幅が狭くするだけでなく、凹部９１の幅を底部３４に至る方向に漸次狭くなるようにしても、凸部５１と凹部９１のそれぞれの幅を漸次狭くなるようにしてもよい。
【００３１】
この実施形態では、ベース部材３１の凹部９１に封止部１５１の凸部８１に合わせて挿入するだけの操作で、凸部８１を凹部９１に嵌め合わせすることができる。
【００３２】
この発明は、上記した実施形態に限定されるものではなく、例えば、ランプ装置の各実施形態に用いたベース部材は、ハロゲンランプ１１を支持するためだけでなく、導入線１７１，１７２と図示しない外部リードと接続される部分まで覆うことで、この接続部分の絶縁も兼ねさせることもできる。
【図面の簡単な説明】
【００３３】
【図１】この発明のハロゲンランプの一実施形態について説明するための構成図。
【図２】図１の要部を拡大して説明するための構成図。
【図３】この発明のランプ取付装置の第１の実施形態について説明するための構成図。
【図４】図３の一部を拡大して説明するための構成図。
【図５】この発明のランプ取付装置の第２の実施形態について説明するための要部の拡大斜視図。
【図６】図５に取り付けられるベース部材の拡大斜視図。
【図７】図６を図５に取り付けた状態の断面図。
【図８】この発明のランプ取付装置の第３の実施形態について説明するための要部の拡大斜視図。
【図９】図８に取り付けられるベース部材の拡大斜視図。
【図１０】図９を図８に取り付けた状態の断面図。
【符号の説明】
【００３４】
１１  ハロゲンランプ
１２  バルブ
１３  フィラメント
１４  アンカー
１５１，１５２  封止部
１６１，１６２  金属箔
１７１，１７２  導入線
１８１，１８２  雄ネジ
３１，３２  ベース部材
３３  嵌合凹部３３
３４  底部
３５  挿通孔
３６  雌ネジ
５１，８１  凸部
６１，９１  凹部
６２  係合部
【図１】
2007200806.tif 000003
【図２】
2007200806.tif 000004
【図３】
2007200806.tif 000005
【図４】
2007200806.tif 000006
【図５】
2007200806.tif 000007
【図６】
2007200806.tif 000008
【図７】
2007200806.tif 000009
【図８】
2007200806.tif 000010
【図９】
2007200806.tif 000011
【図１０】
2007200806.tif 000012